(57)【要約】【課題】  監視局までの伝送路を単一化し、使い勝手を良好とする。【解決手段】  テレビカメラ１１から得られる映像データと計測機器１３−１〜１３−Ｎから得られる計測データとを取得し、伝送路１０１を介して監視局２へ伝送する監視システムであり、前記計測データを映像信号化して前記テレビカメラ１１から得られる映像信号と合成する計測データ映像化装置３を具備し、該計測データ映像化装置により合成されたデータを前記伝送路１０１を介して前記監視局２へ伝送する。【選択図】  図１
2006197480.tif 000002
【特許請求の範囲】
【請求項１】
テレビカメラから得られる映像信号と計測機器から得られる計測データとを取得し、伝送路を介して監視局へ伝送する監視システムにおいて、
前記計測データを映像信号化して前記テレビカメラから得られる映像信号と合成する計測データ映像化装置を具備し、
該計測データ映像化装置により合成されたデータを前記伝送路を介して前記監視局へ伝送することを特徴とする監視システム。
【請求項２】
前記計測データ映像化装置には、指示情報に基づいて計測データの合成処理を行う表示制御部が備えられており、
前記監視局には、計測データの合成処理に関し、少なくとも合成の実行・非実行を指示する指示情報を前記計測データ映像化装置へ送出する指示制御装置が備えられていることを特徴とする請求項１に記載の監視システム。
【請求項３】
テレビカメラから得られる映像信号と計測機器から得られる計測データとを取得し、前記計測データを映像信号化して前記テレビカメラから得られる映像信号と合成し、伝送路を介して監視局へ伝送する監視システムに適用される計測データ映像化装置において、
前記計測データを受け取りデータ処理により、合成すべきデータを出力するデータ処理部と、
前記データ処理部から出力されるデータに基づき合成する映像データを生成する映像データ生成手段と、
前記映像データ生成手段により生成された映像データに基づく映像信号をテレビカメラから得られる映像信号に係る画面の一部に表示されるように合成制御する表示制御部と
を具備することを特徴とする計測データ映像化装置。
【請求項４】
前記表示制御部は、外部から与えられる合成の実行・非実行を指示する指示情報に基づき、計測データの合成処理を行うことを特徴とする請求項３に記載の計測データ映像化装置。
【請求項５】
前記指示情報は、合成する計測データの全部または一部について合成の実行・非実行を指示する情報であることを特徴とする請求項４に記載の計測データ映像化装置。
【請求項６】
前記データ処理部は、計測機器から得られる計測データと閾値データとを比較し、比較結果に係る情報を出力し、
前記映像データ生成手段と前記表示制御部の少なくとも一方において、前記情報を受けて、合成する計測データまたは合成後の映像について特殊表示する処理を行うことを特徴とする請求項３に記載の計測データ映像化装置。
【請求項７】
前記閾値データは、計測異常を検出するための閾値データと警報報知を行うための閾値データを含むことを特徴とする請求項６に記載の計測データ映像化装置。
【請求項８】
前記データ処理部は、１または複数の計測機器から計測データを取り込む端子を備え、計測機器毎にサンプリング周期の設定及びまたはデータ平均化の設定を受け付けることを特徴とする請求項３に記載の計測データ映像化装置。
【請求項９】
前記表示制御部は、外部から与えられる計測データの配置位置を指示する指示情報に基づき計測データの映像データを、テレビカメラから得られる映像データに係る画面における対応位置に配置する合成処理を行うことを特徴とする請求項３に記載の計測データ映像化装置。
【請求項１０】
前記データ処理部にて得た計測データを合成すべき情報へ変換する変換テーブルを具備し、所要の場合に前記変換テーブルを用いた変換により得られた情報に対して合成する映像データを生成することを特徴とする請求項３に記載の計測データ映像化装置。
【請求項１１】
前記データ処理部は、少なくとも、バイナリコードを出力する計測機器とアナログ信号を出力する計測機器に対応する異種のインタフェースを具備することを特徴とする請求項３に記載の計測データ映像化装置。
【発明の詳細な説明】
【技術分野】
【０００１】
この発明は、各種対象を監視するために、テレビカメラから得られる映像信号と計測機器から得られる計測データとを取得し、伝送路を介して監視局へ伝送する監視システム及びそれに適用される計測データ映像化装置に関するものである。
【背景技術】
【０００２】
従来におけるこの種の監視システムは、例えば図１５に示されるように、カメラ局１００において得た計測データと映像データとを、監視局２００において監視するように構成されている。カメラ局１００には、監視対象を撮像するＣＣＴＶ（Closed Circuit Television）カメラなどのテレビカメラ１１と、このテレビカメラ１１にて取得された映像信号を映像データとして送信する映像送信装置１２と、更に、所要の観測データ（気温、風力、風向、湿度、水位など）を得るための計測機器１３と、この計測装置１３が取得した計測データを送信する計測データ送信装置１４とが備えられている。
【０００３】
また、監視局２００には、伝送路１０１を介して送られてくる映像データを受信し、映像信号化して出力する映像受信装置２１と、映像受信装置２１の出力を受けて映像の表示を行うモニタ２２と、更に、伝送路１０２を介して送られてくる計測データを受信し出力する計測データ受信装置２３と、計測データ受信装置２３の出力した計測データを受け取り適当な表示形式のデータとして保持する計測データ用サーバ２４と、計測データ用サーバ２４へアクセスして保持されている計測データを取り出し表示するための計測データ用監視端末２５とが備えられている。
【０００４】
上記システムでは、テレビカメラ１１により取得された映像の監視と、計測機器１３において得られた計測データの監視とは、別に行われており、両者を関連付けて監視事象について判断を行う場合に使い勝手が悪いものであった。また、映像データと計測データとの伝送には、別の伝送路１０１、１０２が用いられており、効率的なシステムではなかった。
【０００５】
上記に対し、ホストコンピュータまで映像と計測データとを独立して送り、これらをホストコンピュータにおいて一体化してモニタに表示するようにしたシステムは例えば、特許文献１に示されている。
【特許文献１】特開２００３−５６２７７号公報（要約）
【０００６】
しかしながら、いずれのシステムにあっても、監視局までの伝送路を単一化し、使い勝手の良いシステムとなっていない。
【発明の開示】
【発明が解決しようとする課題】
【０００７】
解決しようとする課題は、監視局までの伝送路を単一化し、使い勝手の良いシステムを提供することである。
【課題を解決するための手段】
【０００８】
本発明に係る監視システムは、テレビカメラから得られる映像信号と計測機器から得られる計測データとを取得し、伝送路を介して監視局へ伝送する監視システムにおいて、前記計測データを映像信号化して前記テレビカメラから得られる映像信号と合成する計測データ映像化装置を具備し、該計測データ映像化装置により合成されたデータを前記伝送路を介して前記監視局へ伝送することを特徴とする。
【０００９】
本発明に係る監視システムでは、前記計測データ映像化装置には、指示情報に基づいて計測データの合成処理を行う表示制御部が備えられており、前記監視局には、計測データの合成処理に関し、少なくとも合成の実行・非実行を指示する指示情報を前記計測データ映像化装置へ送出する指示制御装置が備えられていることを特徴とする。
【００１０】
本発明に係る計測データ映像化装置は、テレビカメラから得られる映像信号と計測機器から得られる計測データとを取得し、前記計測データを映像信号化して前記テレビカメラから得られる映像信号と合成し、伝送路を介して監視局へ伝送する監視システムに適用される計測データ映像化装置において、前記計測データを受け取りデータ処理により、合成すべきデータを出力するデータ処理部と、前記データ処理部から出力されるデータに基づき合成する映像データを生成する映像データ生成手段と、前記映像データ生成手段により生成された映像データに基づく映像信号をテレビカメラから得られる映像信号に係る画面の一部に表示されるように合成制御する表示制御部とを具備することを特徴とする。
【００１１】
本発明に係る計測データ映像化装置では、前記表示制御部は、外部から与えられる合成の実行・非実行を指示する指示情報に基づき、計測データの合成処理を行うことを特徴とする
【００１２】
本発明に係る計測データ映像化装置では、前記指示情報は、合成する計測データの全部または一部について合成の実行・非実行を指示する情報であることを特徴とする。
【００１３】
本発明に係る計測データ映像化装置では、前記データ処理部は、計測機器から得られる計測データと閾値データとを比較し、比較結果に係る情報を出力し、前記映像データ生成手段と前記表示制御部の少なくとも一方において、前記情報を受けて、合成する計測データまたは合成後の映像について特殊表示する処理を行うことを特徴とする。
【００１４】
本発明に係る計測データ映像化装置では、前記閾値データは、計測異常を検出するための閾値データと警報報知を行うための閾値データを含むことを特徴とする
【００１５】
本発明に係る計測データ映像化装置は、前記データ処理部は、１または複数の計測機器から計測データを取り込む端子を備え、計測機器毎にサンプリング周期の設定及びまたはデータ平均化の設定を受け付けることを特徴とする。
【００１６】
本発明に係る計測データ映像化装置では、前記表示制御部は、外部から与えられる計測データの配置位置を指示する指示情報に基づき計測データの映像データを、テレビカメラから得られる映像データに係る画面における対応位置に配置する合成処理を行うことを特徴とする。
【００１７】
本発明に係る計測データ映像化装置では、前記データ処理部にて得た計測データを合成すべき情報へ変換する変換テーブルを具備し、所要の場合に前記変換テーブルを用いた変換により得られた情報に対して合成する映像データを生成することを特徴とする。
【００１８】
本発明に係る計測データ映像化装置では、前記データ処理部は、少なくとも、バイナリコードを出力する計測機器とアナログ信号を出力する計測機器に対応する異種のインタフェースを具備することを特徴とする。
【発明の効果】
【００１９】
本発明に係る監視システムでは、計測データを映像信号化してテレビカメラから得られる映像信号と合成する計測データ映像化装置により合成されたデータを伝送路を介して監視局へ伝送するので、伝送路を単一化した効率的なシステムを構築できる。また、計測データの合成処理に関し、少なくとも合成の実行・非実行を指示する指示情報を計測データ映像化装置へ送出する指示制御装置を備えることにより、必要に応じて計測データが合成されていない映像を得ることができ、多様な要望に応えることができる。
【００２０】
本発明に係る計測データ映像化装置は、計測データを受け取りデータ処理により、合成すべきデータを出力し、この出力されたデータに基づき合成する映像データを生成し、この生成された映像データに基づく映像信号をテレビカメラから得られる映像信号に係る画面の一部に表示されるように合成制御するので、計測データがテレビカメラ映像に合成された映像データを得て単一伝送路を介して伝送することが可能となる。また、外部から与えられる合成の実行・非実行を指示する指示情報に基づき、計測データの合成処理を行うので、必要に応じて計測データが合成されていない映像を得ることができ、多様な要望に応えることができる。
【発明を実施するための最良の形態】
【００２１】
本発明では、計測データを映像信号化してテレビカメラから得られる映像信号と合成する構成を採用することにより、伝送路の単一化という目的を達成したものである。また、外部から与えられる合成の実行・非実行を指示する指示情報に基づき、計測データの合成処理を行うことにより、必要に応じて計測データが合成されていない映像を得るという目的を達成している。
【実施例１】
【００２２】
以下添付図面を参照して、本発明に係る監視システム及びそれに適用される計測データ映像化装置を説明する。各図において同一の構成要素には、同一の符号を付し重複する説明を省略する。図１には、本発明に係る監視システムの構成図が示されている。カメラ局１には、監視対象を撮像するＣＣＴＶ（Closed Circuit Television）カメラなどのテレビカメラ１１、所要の観測データ（気温、風力、風向、湿度、水位など）を得るための計測機器１３−１〜１３−Ｎが備えられている。テレビカメラ１１により得られた映像信号と計測機器１３−１〜１３−Ｎにより得られた計測データとは計測データ映像化装置３へ取り込まれる。
【００２３】
計測データ映像化装置３は、計測データを映像信号化してテレビカメラ１１から得られる映像信号と合成するものであり、この合成された映像信号は映像送信装置１２にて映像データとされ伝送路１０１を介して監視局２の映像受信装置２１へ送られ、ここで映像信号へ戻されてモニタ２２へ出力される。モニタ２２には、例えば図１３に示されるようにテレビカメラ１１から得られる映像に計測機器１３−１〜１３−Ｎにより得られた計測データが重畳された映像が表示される。
【００２４】
計測データ映像化装置３には、図２に示すように、指示情報に基づいて計測データの合成処理を行う表示制御部３４が備えられており、監視局２には、計測データの合成処理に関し、少なくとも合成の実行・非実行を指示する指示情報を計測データ映像化装置３へ送出する指示制御装置４が備えられている。指示制御装置４は、例えばパーソナルコンピュータにより構成され、指示情報をネットワーク５を介して送ることができる。
【００２５】
計測データ映像化装置３の詳細なる構成を、図２に基づき説明する。計測データ映像化装置３には、データ処理部３１、映像データ生成手段３０、表示制御部３４、重畳回路３５、同期分離回路３６及び設定受付処理部３７が備えられている。生成部３２及び文字記号処理部３３は、映像データ生成手段３０を構成している。４１〜４４、４５−１〜４５−Ｎは端子を示す。
【００２６】
端子４１にはテレビカメラ１１から出力されるＮＴＳＣなどの映像信号が到来し、重畳回路３５と同期分離回路３６とへ分岐して送られる。重畳回路３５の出力は端子４２から映像送信装置１２へ送出される。端子４５−１〜４５−Ｎには、計測機器１３−１〜１３−Ｎが接続される。端子４３、４４には、計測データ映像化装置３の初期設定或いはその後の設定変更の際に、例えばパーソナルコンピュータ等の設定用装置を接続して各種設定情報の設定を行うことができる。またシステムを運用しているときには、ネットワーク５を介して指示制御装置４から指示情報を端子４３を介して表示制御部３４へ送ることができる。
【００２７】
計測データ映像化装置３におけるデータ処理部３１は、図３に示すようにデータ処理ＣＰＵによる構成となっており、バイナリコードを出力する計測機器１３Ｂ・・・とアナログ信号を出力する計測機器１３Ａ・・・に対応する異種のインタフェース（第１のインタフェースＩ１−１〜Ｉ１−ｋ、第２のインタフェースＩ２−１〜Ｉ２−ｓ）を具備する。アナログ信号を出力する計測機器１３Ａ・・・の出力は、Ａ／Ｄ変換器によりディジタル化されて第２のインタフェースＩ２−１〜Ｉ２−ｓへ送られる。係る構成により、計測データ映像化装置３は、タイプの異なる計測機器からの計測データを収集することが可能となっている。
【００２８】
データ処理部３１は、計測データを受け取りデータ処理により、合成すべきデータとインタフェースＩＤを出力するものであり、収集制御情報テーブル３１Ａと閾値テーブル３１Ｂとを備えている。収集制御情報テーブル３１Ａは、図４に示されるように、インタフェース対応にサンプリング周期と、平均化処理情報がセットされるように構成されている。平均化処理情報は、平均化しないことを示す「ＮＯ」の情報と、平均化する場合には、平均化の回数情報により構成される。図３に示したインタフェースの全てに計測機器を接続する必要がないことは勿論であり、計測機器が接続されないインタフェースに対応する収集制御情報テーブル３１Ａのエリアには有意な情報はセットされない。
【００２９】
閾値テーブル３１Ｂは、図５に示されるように、インタフェース対応に警報報知を行うための警報閾値データと、計測異常を検出するための計測異常閾値データとがセットされるように構成されている。インタフェースＩＤが＃１の計測機器は、例えば、温度計を例としてあり、下限値がマイナス５（度）となると、凍結などの警報を出力することを示し、上限５０度・下限マイナス４５度を超えた計測値が取得されると、計測異常を出力すること示す。また、インタフェースＩＤが＃２の計測機器は、例えば、風速計を例としてあり、上限値３０ｍ／ｓを超える計測値が取得されると強風注意を出力することを示し、上限８０ｍ／ｓを超える計測値が取得されると計測異常を出力することを示す。
【００３０】
計測データ映像化装置３における映像データ生成手段３０は、データ処理部３１から出力されるデータに基づき合成する映像データを生成するものであり、生成部３２と文字記号処理部３３とにより構成されている。生成部３２には変換テーブル３２Ａが備えられており、文字記号処理部３３には文字記号メモリ３３Ａが備えられている。
【００３１】
生成部３２はＣＰＵにより構成され、データ処理部３１から計測データや警報出力情報或いは計測異常情報が与えられると、所要の場合に変換テーブル３２Ａをアクセスして合成対象となる文字記号情報である合成対象情報（キャラクタデータ）を取得し、文字記号処理部３３へ送出して文字記号のパターンデータを得る。得られたパターンデータは文字記号処理部３３から直接表示制御部３４へ送出され、一方、これに対応する計測データが得られたインタフェースＩＤと共に必要な場合に特殊表示の指示を含む合成文字記号データは生成部３２から表示制御部３４へ送出される。
【００３２】
上記における変換テーブル３２Ａの一例を、図７に示す。この変換テーブル３２Ａは、上記データ処理部３１にて得た計測データを合成すべき情報へ変換するものであり、ここでは、インタフェースＩＤが＃３の計測機器は、風向計に対応するものを例としてあり、インタフェースＩＤが＃３の計測機器から入力データとして真北を０度とする角度データが到来するものとし、この角度データを受けた生成部３２は、この変換テーブル３２Ａを用いて東や北或いは南西などの８方位の風向を表す変換情報として、文字記号処理部３３へ送る。勿論、１６方位の風向としても良く、例えば、北北西は３２６．２５〜３４８．７５（３３７．５±１１．２５）となる。また、警報出力情報がデータ処理部３１から到来すると、計測データをブリンク表示する出力が得られ、計測異常情報がデータ処理部３１から到来すると、「××」を変換情報とする。この例以外に、変換テーブル３２Ａには、データ処理部３１から警報出力情報や計測異常情報の出力を受けた場合に、これの計測データを入力として「凍結注意」や「強風注意」更には「計測異常」などの表示内容に係る変換情報を得るようなデータをセットすることも可能である。
【００３３】
なお、変換テーブル３２Ａは、生成部３２ではなく、データ処理部３１へ備えさせることもできる。この場合、変換テーブル３２Ａを備えるデータ処理部３１が設定受付処理部３７から変換テーブル３２Ａの内容に関する設定を受ける。そして、変換テーブル３２Ａがデータ処理部３１に属した場合には、図８の説明において後述するように、設定受付処理部３７は、固定文字表示する文字記号（図１３、図１４に示す「石垣島台風情報」など）を認識し、その文字が格納されているメモリアドレスを文字記号処理部３３に設定することにより、固定表示する文字記号パターンデータが、表示制御部３４へ送られるように設定を行う。そして、変換テーブル３２Ａに関し実行されていた生成部３２による動作は、データ処理部３１によって行われる。
【００３４】
変換テーブル３２Ａによって、文字をブリンクする指示を示す変換情報や合成後の映像をブリンクする指示を示す変換情報が得られた場合には、当該指示を示す変換情報を上記文字記号のパターンデータと共に表示制御部３４へ送出する。また、変換テーブル３２Ａによって、文字色を指定（或いは常態から変更）する変換情報をセットすることもでき、係る文字色を指定する変換情報が得られた場合には、対応する合成対象情報（キャラクタデータ）を文字記号処理部３３へ送出する。
【００３５】
文字記号処理部３３は、生成部３２から上記のようにして送られる合成対象情報（キャラクタデータ）に基づき、文字記号メモリ３３Ａをアクセスして対応する文字記号のパターンデータを得て、表示制御部３４へ送出するものである。文字記号メモリ３３Ａは、キャラクタデータを入力として対応のパターンデータを得るためのメモリである。
【００３６】
表示制御部３４はプログラマブルな映像信号処理ハードウエアにより構成され、映像データ生成手段３０により生成された映像データに基づく映像信号をテレビカメラ１１から得られる映像信号に係る画面の一部に表示されるように合成制御するものであり、合成制御情報テーブル３４Ａを備えている。
【００３７】
合成制御情報テーブル３４Ａは、図６に示されるように、インタフェースＩＤと対応する合成対象データ毎に、合成する画面上の位置情報、また、合成についての実行・非実行の制御情報がセットされるものである。合成対象データとしては、例えば、テレビカメラ１１の設置位置情報や日時などの情報（図１３の表示例では、「石垣島台風情報」）と、各計測機器１３−１〜１３−Ｎによる計測データがある。合成する画面上の位置情報は、インタフェースＩＤと対応する合成対象データ毎に、例えば、１まとまりの合成対象データを四角の表示枠に配置するものとして、当該表示枠における左上角と右下角の座標で規定している。
【００３８】
同期分離回路３６は、画像信号から水平同期信号と垂直同期信号を分離して表示制御部３４へ与えており、表示制御部３４は、文字記号処理部３３から送られる合成対象データのパターンデータをメモリに保持して、上記同期信号に基づき合成する位置における四角の文字枠の左上角の座標に対応する映像信号が重畳回路３５に到来したことを検出すると、合成対象データのパターンデータにおける１スライス目を重畳回路３５へ送り始め、ｘ座標により終端が検出されるまで１スライス目のデータを送る。次の走査線のタイミングでｘ座標の開始から、２スライス目を重畳回路３５へ送り始め、ｘ座標により終端が検出されるまで２スライス目のデータを送る。以降同様にして、ｙ座標により終端が検出される走査線まで合成制御を行う。特殊表示の指示が合成対象データをブリンクする指示である場合には、例えば１フレーム毎に合成対象データに係るパターンデータの送出を停止するなどの制御を行い、また、特殊表示の指示が合成後の画面自体のブリンクする指示である場合には、１フレーム毎に重畳回路３５の出力を停止する或いは１画面分の所定色のパターンを送るなどの制御を行う。
【００３９】
設定受付処理部３７はＣＰＵにより構成され、初期設定或いはその後の設定変更の際に、例えばパーソナルコンピュータ等の設定用装置が端子４４に接続されて、指示情報を含むコマンドが与えられると、そのコマンドを認識し、データ処理部３１、生成部３２、文字記号処理部３３へ対応する設定情報を送り、各テーブル内容の設定を行わせる。
【００４０】
設定受付処理部３７は、例えば図８に示されるフローチャートに対応するプログラムにより動作するので、その動作を説明する。設定受付処理部３７は、端子４４から到来するデータの認識処理を行い（Ｓ１）、文字記号メモリ３３Ａへの設定要求であるかを検出する（Ｓ２）。このステップＳ２において、文字記号メモリ３３Ａへの設定要求であることが検出されると、設定する文字記号データを文字記号処理部３３へ送出する（Ｓ３）。これによって、文字記号メモリ３３Ａには特殊表示に用いる色を有する文字記号パターンデータを記憶することができる。また、設定受付処理部３７は上記ステップＳ３において、固定文字表示する文字記号（図１３、図１４に示す「石垣島台風情報」など）を認識し、その文字が格納されているメモリアドレスを文字記号処理部３３に設定することにより、固定表示する文字記号パターンデータが、表示制御部３４へ送られるようになり、所望の固定表示文字記号を合成可能に構成されている。
【００４１】
上記ステップＳ２においてＮＯへ分岐した場合には、閾値テーブル３１Ｂへの設定要求であるかを検出する（Ｓ４）。このステップＳ４において、閾値テーブル３１Ｂへの設定要求であることが検出されると、設定する閾値データをデータ処理部３１へ送出する（Ｓ５）。上記ステップＳ４においてＮＯへ分岐した場合には、収集制御情報テーブル３１Ａへの設定要求であるかを検出する（Ｓ６）。このステップＳ６において、収集制御情報テーブル３１Ａへの設定要求であることが検出されると、設定する収集制御情報をデータ処理部３１へ送出する（Ｓ７）。
【００４２】
上記ステップＳ６においてＮＯへ分岐した場合には、合成制御情報テーブル３４Ａへの設定要求であるかを検出する（Ｓ８）。このステップＳ８において、合成制御情報テーブル３４Ａへの設定要求であることが検出されると、設定する合成制御情報を表示制御部３４へ送出する（Ｓ９）。
【００４３】
上記ステップＳ８においてＮＯへ分岐した場合には、変換テーブル３２Ａへの設定要求であるかを検出する（Ｓ１０）。このステップＳ１０において、変換テーブル３２Ａへの設定要求であることが検出されると、設定する変換用データを生成部３２へ送出する（Ｓ１１）。また、上記ステップＳ１０においてＮＯへ分岐した場合には、端子４４から到来したデータの認識処理結果に応じて、対応する処理を実行する（Ｓ１２）。斯して、初期設定或いはその後の設定変更の際に必要な情報を設定して所望の合成が行われる計測データ映像化装置３を得ることができる。なお、ステップＳ２、Ｓ４、Ｓ６、Ｓ８、Ｓ１０の判断ステップの処理順はこの例に限るものではない。
【００４４】
上記のように、初期設定等の場合に端子４４にパーソナルコンピュータ等の設定用装置が接続されて設定が行われるときに、また、その後において、データ処理部３１は図９に示されるフローチャートに対応する処理を行い、生成部３２は図１０に示されるフローチャートに対応する処理を行い、文字記号処理部３３は図１１に示されるフローチャートに対応する処理を行い、表示制御部３４は図１２に示されるフローチャートに対応する処理を行うので、以下にこれらのフローチャートを参照して動作の説明を行う。
【００４５】
データ処理部３１は、図９に示されるように、設定受付処理部３７から設定情報が到来したかを検出し（Ｓ２１）、このステップＳ２１において設定情報が到来したことを検出すると、到来した閾値データ又は収集制御情報を閾値テーブル３１Ｂ、収集制御情報テーブル３１Ａへ記憶する（Ｓ２２）。このステップＳ２２に次いで、またステップＳ２１においてＮＯへ分岐した場合には、収集制御情報テーブル３１Ａに記憶されているサンプリング周期により該当の計測機器の出力をサンプリングし、平均化の情報が設定されている場合には平均化処理を実行する（Ｓ２３）。
【００４６】
更に、上記ステップＳ２３においてサンプリングし、必要に応じて平均化した計測データについて、閾値テーブル３１Ｂに記憶されている対応の閾値と比較し（Ｓ２４）、閾値を超えたかを検出する（Ｓ２５）。このステップＳ２５において計測データが閾値を超えていることが検出されると、警報出力或いは計測異常である旨及び計測データを当該インタフェースＩＤと共に生成部３２へ送出する（Ｓ２６）。また、ステップＳ２５においてＮＯへ分岐した場合には、収集した計測データを当該インタフェースＩＤと共に生成部３２へ送出する（Ｓ２７）。
【００４７】
生成部３２は、図１０に示されるように、設定受付処理部３７から設定情報が到来したかを検出し（Ｓ３１）、このステップＳ３１において設定情報が到来したことを検出すると、到来した変換用データを変換テーブル３２Ａへ記憶する（Ｓ３２）。
【００４８】
上記ステップＳ３２に次いで、またステップＳ３１においてＮＯへ分岐した場合には、生成部３２は、計測データ等が到来したか否かを検出する（Ｓ３３）。このステップＳ３３において計測データ等の到来が検出されなければ、ステップＳ３１へ戻って処理を続ける一方、ステップＳ３３において計測データ等が到来したことが検出されると、計測データが風向における角度を示すデータであるなどのような所要の場合に変換テーブル３２Ａを用い、その他の場合には計測データからなる合成対象情報を取得し、これを文字記号処理部３３へ送って文字記号処理部３３を制御することにより合成文字記号データを取得して、ブリンク表示要求などの必要な指示及び当該インタフェースＩＤと共に表示制御部３４へ送出する（Ｓ３４）。
【００４９】
文字記号処理部３３は、図１１に示されるように、設定受付処理部３７から設定情報が到来したかを検出し（Ｓ４１）、このステップＳ４１において設定情報が到来したことを検出すると、到来した文字記号データを文字記号メモリ３３Ａへ記憶する（Ｓ４２）。
【００５０】
上記ステップＳ４２に次いで、またステップＳ４１においてＮＯへ分岐した場合には、文字記号処理部３３は、生成部３２から合成対象情報が到来したか否かを検出する（Ｓ４３）。このステップＳ４３において合成対象情報の到来が検出されなければ、ステップＳ４１へ戻って処理を続ける一方、ステップＳ４３において合成対象情報が到来したことが検出されると、到来した合成対象情報に基づき文字記号メモリ３３Ａをアクセスして合成する文字記号パターン（合成データ）を生成し、表示制御部３４へ送出する（Ｓ４４）。
【００５１】
表示制御部３４は、図１２に示されるように、設定受付処理部３７から或いは図１に示した指示制御装置４から設定情報が到来したかを検出し（Ｓ５１）、このステップＳ５１において設定情報が到来したことを検出すると、到来した合成制御情報を合成制御情報テーブル３４Ａへ記憶する（Ｓ５２）。なお、設定受付処理部３７に端子４４を介して接続される設定装置からは合成位置などの合成制御情報が送られてくると共に、指示制御装置４からはシステムの運用中においても端子４３を介して合成実行・非実行に係る合成制御情報が送られてくる。
【００５２】
上記ステップＳ５２に次いで、またステップＳ５１においてＮＯへ分岐した場合には、既に説明した生成部３２が図１０におけるステップＳ３４の処理により、上記文字記号処理部３３の動作を受けて、ブリンク表示要求などの必要な指示情報と共に合成文字記号データ及びこのデータに対応するインタフェースＩＤを送出してくるので、表示制御部３４は、合成文字記号データ等の到来を待っている（Ｓ５３）。
【００５３】
このステップＳ５３において、合成文字記号データ等の到来が検出されると、合成制御情報テーブル３４Ａの上記で送られてきたインタフェースＩＤに対応する合成対象データＩＤについて記憶されている制御情報を参照して合成実行が設定されているかを検出する（Ｓ５４）。このステップＳ５４において、合成しようとする合成対象データについて合成非実行が設定されていることが検出されると、合成を行うことなく、ステップＳ５１へ戻って処理を継続する。これにより、システムの運用中において、必要な場合には、所定の計測データなどが合成されていない映像を計測データ映像化装置３から出力することができ、ユーザの要求に応えることができる。
【００５４】
上記に対し、ステップＳ５４において、合成しようとする合成文字記号データについて合成実行が設定されていることが検出されると、合成文字記号データを映像信号化し、合成制御情報テーブル３４Ａの対応する制御情報を参照して合成位置情報を検出し、この合成位置情報に従って画面の所定位置に配置されるように信号出力し、必要な場合にはブリンク表示などの特殊表示を行う（Ｓ５５）。
【００５５】
図１３には、計測機器１３−１、１３−２として、温度計と風速計を接続した例を示している。カメラ設置場所等を示す情報としては、「石垣島台風情報」が設定されており、気温に関する表示及び風速に関する表示において数字以外の部分は、計測データによらない固定の表示情報として生成部３２に備えられているものに対応する表示である。インタフェースＩＤが＃１に対応して温度計が計測機器として設けられ、インタフェースＩＤが＃２に対応して、風速計が計測機器として設けられ、合成制御情報テーブル３４Ａの対応する制御情報に基づきこの図１３に示すように表示される。
【００５６】
図１４には、計測機器１３−２、１３−３として、風速計と風向計を接続した例を示している。この場合には、変換テーブル３２Ａには、既に図７を用いて説明したように計測データ対応の風向表示情報がセットされており、生成部３２はこれを用いて変換を行う。なお、計測機器１３−１、１３−２、１３−３として、温度計、風速計、風向計を接続した場合において、表示制御情報の気温データと風向データの表示位置を同一座標としておき、表示制御情報の合成実行・非実行の情報について、まず、風向データを非実行、風速データ及び温度データを合成実行と設定した場合には、図１３に示されるように気温と風速の表示を行うことができ、次に、気温データを非実行、風向データ及び風速データを合成実行と設定した場合には、図１４に示されるように風向と風速の表示を行うことができる。
【００５７】
以上の如く、このシステム及び計測データ映像化装置３によって、計測データをテレビカメラ１１により得られた映像に合成して伝送できることから、伝送路の単一化を図ることが可能であるばかりか、必要に応じて合成の実行・非実行を始めとして様々な設定変更を行うことができ、様々な監視の分野に適用可能なものとなっている。
【図面の簡単な説明】
【００５８】
【図１】本発明に係る監視システムの実施例構成を示すブロック図。
【図２】本発明に係る監視システムに適用される計測データ映像化装置の実施例構成を示すブロック図。
【図３】本発明に係る監視システムに適用される計測データ映像化装置における要部の実施例構成を示すブロック図。
【図４】本発明に係る監視システムに適用される計測データ映像化装置の収集制御情報テーブルに設定される収集制御情報の一例を示す図。
【図５】本発明に係る監視システムに適用される計測データ映像化装置の閾値テーブルに設定される閾値データの一例を示す図。
【図６】本発明に係る監視システムに適用される計測データ映像化装置の表示制御情報テーブルに設定される表示制御情報の一例を示す図。
【図７】本発明に係る監視システムに適用される計測データ映像化装置の変換テーブルに設定される変換用データの一例を示す図。
【図８】本発明に係る監視システムに適用される計測データ映像化装置の設定受付処理部の動作を説明するためのフローチャート。
【図９】本発明に係る監視システムに適用される計測データ映像化装置のデータ処理部の動作を説明するためのフローチャート。
【図１０】本発明に係る監視システムに適用される計測データ映像化装置の生成部の動作を説明するためのフローチャート。
【図１１】本発明に係る監視システムに適用される計測データ映像化装置の文字記号処理部の動作を説明するためのフローチャート。
【図１２】本発明に係る監視システムに適用される計測データ映像化装置の表示制御部の動作を説明するためのフローチャート。
【図１３】本発明に係る監視システムにより監視局のモニタに表示される映像の一例を示す図。
【図１４】本発明に係る監視システムにより監視局のモニタに表示される映像の一例を示す図。
【図１５】従来の監視システムの実施例構成を示すブロック図。
【符号の説明】
【００５９】
１  カメラ局 
２  監視局 
３  計測データ映像化装置 
４  指示制御装置 
５  ネットワーク 
１１  テレビカメラ 
１２  映像送信装置 
１３−１〜１３−Ｎ  計測機器 
２１  映像受信装置 
２２  モニタ 
３０  映像データ生成手段 
３１  データ処理部 
３１Ａ  収集制御情報テーブル 
３１Ｂ  閾値テーブル 
３２  生成部 
３２Ａ  変換テーブル 
３３  文字記号処理部 
３３Ａ  文字記号メモリ 
３４  表示制御部 
３４Ａ  合成制御情報テーブル 
３５  重畳回路 
３６  同期分離回路 
３７  設定受付処理部 
４１、４２、４３、４５−１〜４５−Ｎ  端子
【図１】
2006197480.tif 000003
【図２】
2006197480.tif 000004
【図３】
2006197480.tif 000005
【図４】
2006197480.tif 000006
【図５】
2006197480.tif 000007
【図６】
2006197480.tif 000008
【図７】
2006197480.tif 000009
【図８】
2006197480.tif 000010
【図９】
2006197480.tif 000011
【図１０】
2006197480.tif 000012
【図１１】
2006197480.tif 000013
【図１２】
2006197480.tif 000014
【図１５】
2006197480.tif 000015
【図１３】
2006197480.tif 000016
【図１４】
2006197480.tif 000017